(57)【要約】【課題】内容物を一つずつ容易に取り出すことが可能な容器を提供する。【解決手段】複数の内容物を収容可能な容器本体と、前記内容物が通過可能な孔部を有する栓部材３０と、容器本体に対して着脱可能に設けられる蓋部材とを備える。栓部材は、軸線Ｊに沿って延び口部の内部に挿入される筒壁部３１と、筒壁部の底部に設けられ孔部３８が形成された底壁部３７と、底壁部の上面側における、軸線を中心とする径方向で孔部を挟んで筒壁部の内周面３１ａとは逆側から孔部と対向する位置に上方に向けて突出する保持部６０とを備える。保持部は、孔部を介して排出された内容物Ｔを内周面に向けて案内する案内面６０ａを有するとともに、上面における径方向で孔部と内周面とで挟まれた保持領域３９との間で、筒壁部の上端よりも底壁部側の高さで内容物を軸線方向に保持可能である。【選択図】図３
2018203322.tif 000002
【特許請求の範囲】
【請求項１】
軸線方向一端側に開口する口部を有し複数の内容物を収容可能な容器本体と、
前記口部に装着され前記内容物が通過可能な孔部を有する栓部材と、
前記容器本体に対して着脱可能に設けられる蓋部材とを備え、
前記栓部材は、前記軸線に沿って延び前記口部の内部に挿入される筒壁部と、
前記筒壁部の底部に設けられ前記孔部が形成された底壁部と、
前記底壁部の上面側における、前記軸線を中心とする径方向で前記孔部を挟んで前記筒壁部の内周面とは逆側から前記孔部と対向する位置に上方に向けて突出する保持部とを備え、
前記保持部は、前記孔部を介して排出された前記内容物を前記内周面に向けて案内する案内面を有するとともに、前記上面における前記径方向で前記孔部と前記内周面とで挟まれた保持領域との間で、前記筒壁部の上端よりも前記底壁部側の高さで前記内容物を前記軸線方向に保持可能であることを特徴とする容器。
【請求項２】
前記案内面は、前記内周面との間で前記内容物を前記径方向に保持することを特徴とする請求項１記載の容器。
【請求項３】
前記保持領域は、前記孔部の周縁から前記内周面までの長さが前記内容物の最大径の０．５倍以上、１．０倍未満であることを特徴とする請求項１または２に記載の容器。
【請求項４】
前記保持領域は、前記底壁部の上面に形成された窪みを含むことを特徴とする請求項１から３のいずれか一項に記載の容器。
【請求項５】
前記軸線方向及び前記径方向と直交する方向で前記孔部を挟んだ両側に、前記底壁部の上面側に突出する突出壁を有することを特徴とする請求項１から４のいずれか一項に記載の容器。
【請求項６】
前記底壁部の下面側に、前記上面側が下方を向くように前記容器本体を傾けたときに、移動する前記容器本体内の前記内容物を前記孔部に導く導入部が設けられていることを特徴とする請求項１から５のいずれか一項に記載の容器。
【請求項７】
前記孔部は、長径方向の長さが前記内容物の最大径の１．３倍以上、１．７倍以下であり、
短径方向の長さが前記内容物の最大厚さの１．３倍以上、１．７倍以下であり、
前記保持部は、前記底壁部の上面からの高さが前記内容物の最大厚さの１．３倍以上、１．７倍以下であり、
前記軸線方向の上面視において、前記保持部が前記孔部を覆う面積割合が５０％以上、１００％以下であることを特徴とする請求項１から６のいずれか一項に記載の容器。
【請求項８】
前記栓部材は、前記筒壁部の上端から前記径方向外側に向かって延出し、前記口部の上端に係合するフランジ部を有することを特徴とする請求項１から７のいずれか一項に記載の容器。
【請求項９】
前記栓部材は、弾性体で形成されていることを特徴とする請求項１から８のいずれか一項に記載の容器。
【発明の詳細な説明】
【技術分野】
【０００１】
本発明は、容器に関するものである。
【背景技術】
【０００２】
上端に開口部を有する容器本体等に錠剤等の内容物を収容する場合、容器本体とそれに螺合、又は嵌合する蓋などで構成されることが一般的である。この場合、蓋を外し、容器本体を傾けることで内容物が取り出しやすい反面、多数の内容物が開口部から一度に排出される可能性がある。
【０００３】
そこで、例えば、特許文献１には、収納室と連通し側方に粒状物取出口を有する計量室を画成する容器体と、容器体に開閉可能に設けられ容器体を閉塞したときに粒状物取出口を遮断する遮断壁を有する蓋体とを備える容器が開示されている。特許文献１に記載された容器では、容器を倒立させて粒状物を計量室内に導入したときに、遮断壁が粒状物取出口を遮断することにより、粒状物が粒状物取出口から飛び出すことを防止している。
【先行技術文献】
【特許文献】
【０００４】
【特許文献１】特開２００４−１７５４２６号公報
【発明の概要】
【発明が解決しようとする課題】
【０００５】
しかしながら、上述した特許文献１に記載された容器では、容器体に対して蓋体を開けると、遮断壁による粒状物取出口の遮断が解除されるため、内容物が飛び出す可能性がある。特に、容器が倒立に近い状態で蓋体を開けた場合には複数の内容物が排出される可能性がある。一旦容器から排出された内容物を容器内に戻すと、容器内の他の内容物の汚染に繋がる虞がある。
【０００６】
本発明は、以上のような点を考慮してなされたもので、内容物を一つずつ容易に取り出すことが可能な容器を提供することを目的とする。
【課題を解決するための手段】
【０００７】
本発明の第１の態様に従えば、軸線方向一端側に開口する口部を有し複数の内容物を収容可能な容器本体と、前記口部に装着され前記内容物が通過可能な孔部を有する栓部材と、前記容器本体に対して着脱可能に設けられる蓋部材とを備え、前記栓部材は、前記軸線に沿って延び前記口部の内部に挿入される筒壁部と、前記筒壁部の底部に設けられ前記孔部が形成された底壁部と、前記底壁部の上面側における、前記軸線を中心とする径方向で前記孔部を挟んで前記筒壁部の内周面とは逆側から前記孔部と対向する位置に上方に向けて突出する保持部とを備え、前記保持部は、前記孔部を介して排出された前記内容物を前記内周面に向けて案内する案内面を有するとともに、前記上面における前記径方向で前記孔部と前記内周面とで挟まれた保持領域との間で、前記筒壁部の上端よりも前記底壁部側の高さで前記内容物を前記軸線方向に保持可能であることを特徴とする容器が提供される。
【０００８】
また、上記本発明の一態様に係る容器において、前記案内面は、前記内周面との間で前記内容物を前記径方向に保持することを特徴とする。
【０００９】
また、上記本発明の一態様に係る容器において、前記保持領域は、前記孔部の周縁から前記内周面までの長さが前記内容物の最大径の０．５倍以上、１．０倍未満であることを特徴とする。
【００１０】
また、上記本発明の一態様に係る容器において、前記保持領域は、前記底壁部の上面に形成された窪みを含むことを特徴とする。
【００１１】
また、上記本発明の一態様に係る容器において、前記軸線方向及び前記径方向と直交する方向で前記孔部を挟んだ両側に、前記底壁部の上面側に突出する突出壁を有することを特徴とする。
【００１２】
また、上記本発明の一態様に係る容器において、前記底壁部の下面側に、前記上面側が下方を向くように前記容器本体を傾けたときに、移動する前記容器本体内の前記内容物を前記孔部に導く導入部が設けられていることを特徴とする。
【００１３】
また、上記本発明の一態様に係る容器において、前記孔部は、長径方向の長さが前記内容物の最大径の１．３倍以上、１．７倍以下であり、短径方向の長さが前記内容物の最大厚さの１．３倍以上、１．７倍以下であり、前記保持部は、前記底壁部の上面からの高さが前記内容物の最大厚さの１．３倍以上、１．７倍以下であり、前記軸線方向の上面視において、前記保持部が前記孔部を覆う面積割合が５０％以上、１００％以下であることを特徴とする。
【００１４】
また、上記本発明の一態様に係る容器において、前記栓部材は、前記筒壁部の上端から前記径方向外側に向かって延出し、前記口部の上端に係合するフランジ部を有することを特徴とする。
【００１５】
また、上記本発明の一態様に係る容器において、前記栓部材は、弾性体で形成されていることを特徴とする。
【発明の効果】
【００１６】
本発明では、内容物を一つずつ容易に取り出すことが可能な容器を提供することが可能になる。
【図面の簡単な説明】
【００１７】
【図１】本発明の実施の形態を示す図であって、第１実施形態に係る容器１の分解斜視図である。
【図２】本実施形態に係る中栓３０を上方から視た平面図である。
【図３】図２におけるＡ−Ａ線視断面図である。
【図４】容器１から内容物Ｔを排出する手順を示す図である。
【図５】容器１から内容物Ｔを排出する手順を示す図である。
【図６】容器１から内容物Ｔを排出する手順を示す図である。
【図７】容器１から内容物Ｔを排出する手順を示す図である。
【図８】容器１から内容物Ｔを排出する手順を示す図である。
【図９】容器１から内容物Ｔを排出する手順を示す図である。
【図１０】第２実施形態に係る中栓３０の断面図である。
【図１１】第２実施形態に係る中栓３０の変形例を示す断面図である。
【図１２】第３実施形態に係る中栓３０の外観斜視図である。
【図１３】中栓３０を下側から視た下面図である。
【発明を実施するための形態】
【００１８】
以下、本発明の容器の実施の形態を、図１ないし図１３を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１９】
［第１実施形態］
図１は、第１実施形態に係る容器１の分解斜視図である。容器１は、上方に開口する口部２０を頂部に有し内容物を収容する容器本体１０と、口部２０に装着される中栓（栓部材）３０と、容器本体１０に対して着脱可能に設けられる蓋部材４０とを有している。
【００２０】
なお、以下の説明においては、容器１において容器本体１０が配置される側を下側とし、蓋部材４０が配置される側を上側として、各部材の形状や位置関係を説明する。但し、これは、あくまで説明の便宜のために上下方向を定義したものであって、本発明の容器１の構成や実際に使用される際の設置姿勢を限定するものではない。
【００２１】
容器本体１０は、例えばポリエチレン等のオレフィン系合成樹脂を用いたブロー成型により一体形成されている。容器本体１０が収容する内容物としては、例えば、錠剤等の粒状のものを例示できる（図４等参照）。以下では、内容物が錠剤であるものとして説明する。錠剤の形状としては、例えば、直径よりも高さが低い円柱状であり、外周面と端面との交差部に面取り形状を有する隅角平錠や、隅角平錠の端面部分が凸形状の略球面に形成された隅角Ｒ錠が選択される。
【００２２】
容器本体１０は、鉛直方向に延びる軸線Ｊに沿って延びる胴部２１と胴部２１の上端側に配置された口部２０とを有している。口部２０と胴部２１とは、それぞれ略円筒形状に同軸で形成されている。口部２０の外径は、胴部２１の外径よりも小さく形成されている。口部２０および胴部２１の内部には、錠剤が収容される収容空間２２が形成されている。口部２０の外周部には、軸線Ｊ周りに雄ねじ部２３が形成されている。
【００２３】
蓋部材４０は、有蓋円筒状に形成されている。蓋部材４０の内周部には、雄ネジ部２３と螺合する雌ネジ部（図示せず）が形成されている。蓋部材４０は、雌ネジ部が容器本体１０の雄ネジ部２３と螺合することにより、容器本体１０に装着され、雌ネジ部と雄ネジ部２３との螺合を解除することにより容器本体１０から離脱する。
【００２４】
図２は、中栓３０を上方から視た平面図である。図３は、図２におけるＡ−Ａ線視断面図である。中栓３０は、軸線Ｊに沿って形成された有底円筒状の筒壁部３１と、筒壁部３１の先端（上端）から軸線Ｊを中心として外側に延出するフランジ部３２と、筒壁部３１の底部に配置された底壁部３７と、底壁部３７の上面側に設けられた保持部６０と、底壁部３７の下面側に設けられた導入部７０とを有している。中栓３０は、ポリエチレン、エラストマー等の弾性体で形成されている。
【００２５】
筒壁部３１は、口部２０の内周部に嵌合する。フランジ部３２は、筒壁部３１が口部２０の内部に挿入されたときに当該口部２０の先端に上方から係合する。
【００２６】
底壁部３７は、軸線Ｊを中心とする径方向（以下、単に径方向と称する）で軸線Ｊよりも外側に配置され軸線Ｊ方向に貫通する孔部３８を有している。孔部３８は、平面視矩形状に形成されている。孔部３８は、容器本体１０の収容空間２２に収容された錠剤を外部に排出するための排出口として機能する。
【００２７】
孔部３８の大きさは、錠剤Ｔの大きさに応じて設定されている。一例として、孔部３８は、長径方向の長さが錠剤Ｔの最大径の１．３倍以上、１．７倍以下が好ましく、１．５倍以上、１．７倍以下がより好ましい。また、孔部３８は、短径方向の長さが錠剤Ｔの最大厚さの１．３倍以上、１．７倍以下が好ましく、１．５倍以上、１．７倍以下がより好ましい。孔部３８の長径方向の長さ及び短径方向の長さが上記の下限値を下回る場合には、錠剤Ｔ同士の干渉により孔部３８を介して錠剤Ｔが円滑に排出されない可能性がある。また、孔部３８の長径方向の長さ及び短径方向の長さが上記の上限値を上回る場合には、重なった複数の錠剤Ｔが孔部３８から纏めて排出されてしまう可能性がある。従って、錠剤Ｔが一つずつ容器本体１０から排出されるためには、孔部３８の長径方向の長さ及び短径方向の長さが上記の範囲であることが好ましい。
【００２８】
保持部６０は、孔部３８を介して排出された錠剤Ｔを、筒壁部３１の内周面３１ａに向けて案内する案内面６０ａを底壁部３７と対向する側に有している。また、本実施形態における案内面６０ａは、内周面３１ａとの間で錠剤Ｔを径方向に保持可能であるとともに、上面３７ａにおける径方向で孔部３８の周縁と内周面３１ａとで挟まれた保持領域３９との間で錠剤Ｔを軸線Ｊ方向に保持可能なものである。
【００２９】
より詳細には、保持部６０は、径方向で孔部３８を挟んで内周面３１ａとは逆側から上方に向けて突出した後に径方向で内周面３１ａに向かう方向に湾曲した略Ｊ字状に形成されている。保持部６０の案内面６０ａは、基端部が錠剤Ｔの最大厚さよりも低く、且つ、内周面３１ａからの距離が錠剤Ｔの最大径よりも大きい位置であり、先端部が錠剤Ｔの最大厚さよりも高く、且つ、内周面３１ａからの距離が錠剤Ｔの最大径よりも小さい位置であり、径方向で内周面３１ａに向かうに従って、漸次上方に向かうように傾斜している。
【００３０】
案内面６０ａの底壁部３７の上面からの最大高さは、錠剤Ｔの最大厚さの１．３倍以上、１．７倍以下であることが好ましく、錠剤Ｔの最大厚さの１．５倍以上、１．７倍以下であることがより好ましい。案内面６０ａの底壁部３７の上面からの最大高さが上記の下限値を下回る場合には、錠剤Ｔが案内面６０ａと干渉して孔部３８から排出され難くなる。案内面６０ａの底壁部３７の上面からの最大高さが上記の上限値を上回る場合には、孔部３８から排出された錠剤Ｔが連続して勢いよく排出されてしまいやすくなる。従って、錠剤Ｔが一つずつ容器本体１０から円滑に排出されるためには、案内面６０ａの底壁部３７の上面からの最大高さが上記の範囲であることが好ましい。
【００３１】
径方向及び軸線Ｊ方向と直交する方向（以下、幅方向と称する）の保持部６０の幅は、錠剤Ｔの最大径及び幅方向の孔部３８の長さよりも小さく形成されている。また、軸線Ｊ方向の上面視において、保持部６０が孔部３８を覆う面積割合は、５０％以上、１００％以下であることが好ましく、６０％以上、１００％以下であることがより好ましい。
【００３２】
保持部６０が孔部３８を覆う面積割合が上記の下限値を下回る場合には、容器本体１０を傾けて収容空間２２内の錠剤Ｔを孔部３８から排出した際に、錠剤Ｔが保持部６０に保持されずに容器１から飛び出してしまう可能性がある。また、保持部６０が孔部３８を覆う面積割合が上記の上限値を上回る場合には、不必要に樹脂量が増えるとともに、射出成形により中栓３０を製造することが困難になる。従って、容器本体１０を傾けて収容空間２２内の錠剤Ｔを孔部３８から排出した際に、錠剤Ｔを保持部６０に保持させ、射出成形により中栓３０を容易に製造するためには、保持部６０が孔部３８を覆う面積割合は上記の範囲であることが好ましい。
【００３３】
保持領域３９の径方向の最大長さは、錠剤Ｔの最大径の０．５倍以上、１．０倍未満であることが好ましく、０．７倍以上、１．０倍未満であることがより好ましい。保持領域３９の径方向の最大長さが上記の下限値を下回る場合には、容器１を正立状態としたときに保持領域３９に保持された錠剤Ｔが自重により孔部３８から収容空間２２に落下する可能性がある。また、保持領域３９の径方向の最大長さが上記の上限値を上回る場合には、錠剤Ｔを軸線Ｊ方向に保持するために、保持部６０の先端を孔部３８の周縁を超えた範囲まで形成する必要が生じる。この場合、射出成形により中栓３０を製造することが困難になる。また、保持部６０を孔部３８の周縁を超えない大きさとした場合には、保持領域３９に保持された錠剤Ｔを保持部６０から上方から保持できずに外部に落下する可能性がある。従って、保持領域３９における錠剤Ｔの保持及び中栓３０を射出成形により容易に製造するためには、保持領域３９の径方向の最大長さが、上記の範囲であることが好ましい。
【００３４】
また、上記の保持部６０によって錠剤Ｔを保持領域３９に効果的に保持するためには、錠剤Ｔの最大厚さに対する最大径の比率（最大径／最大厚さ）が１．３以上、２．０以下であることが好ましく、１．５以上、１．７以下であることがより好ましい。
【００３５】
導入部７０は、中栓３０の上面側が下方を向くように容器本体１０を傾けたときに、容器本体１０内を移動する錠剤Ｔを孔部３８に導くものである。導入部７０は、図３に示されるように、内周面３１ａ側の孔部３８の周縁を基点として、下方に向かうに従って漸次内周面側に接近する円弧形状の断面輪郭を有する導入面７１を有している。図２に示されるように、導入面７１は、径方向で孔部３８の内周面３１ａ側に、内周面３１ａに沿って幅方向については孔部３８よりも広い範囲に形成されている。また、導入面７１は、孔部３８の幅方向の両側についても、径方向の中途までの範囲に、軸線Ｊ方向視でコ字状に形成されている。
【００３６】
次に、上記の構成の容器１から錠剤Ｔを排出する手順について、図４乃至図９を参照して説明する。なお、図５乃至図８については、便宜上、中栓３０及び錠剤Ｔのみを図示している。
【００３７】
収容空間２２に複数の錠剤Ｔを収容し、蓋体４０を離脱させた容器本体１０を、図４に示されるように、孔部３８が下側となる状態で口部２０を下側に向けて傾けると、錠剤Ｔは、自重により内部空間２２を移動して、主として口部２０の内周面と底壁部３７で囲まれた領域に集まる。このとき、底壁部３７の下面側には、導入面７１が設けられているため、図５に示すように、錠剤Ｔは導入面７１に沿って導かれて孔部３８を通過する。
【００３８】
ここで、導入面７１は、孔部３８の幅方向の両側にも設けられているため、容器本体１０を傾けたときに孔部３８の軸線Ｊ周り方向の位置がずれていた場合でも、錠剤Ｔは円滑に孔部３８を通過することが可能である。また、孔部３８の大きさは、上述したように、錠剤Ｔの最大径及び最大厚さに応じて設定されているため、孔部３８に対しては一つの錠剤Ｔが通過する。
【００３９】
孔部３８を通過した錠剤Ｔは、図６に示されるように、保持部６０の案内面６０ａに沿って案内されて反転し、図７に示されるように、移動方向後方側が案内面６０ａに係合した状態で移動方向前方側が保持領域３９に支持される。この状態で容器本体１０を正立状態とすると、図８に示されるように、錠剤Ｔは、保持部６０と内周面３１ａとの間で径方向に保持されるとともに、保持部６０と保持領域３９との間で軸線Ｊ方向に保持される。保持部６０によって中栓３０に保持された錠剤Ｔについては、図９に示されるように、幅方向で摘むことにより容易に中栓３０から排出する（取り出す）ことができる。
【００４０】
以上説明したように、本実施形態の容器１においては、中栓３０に孔部３８を通過した錠剤Ｔを内周面３１ａに向けて案内する案内面６０ａを有し、保持領域３９との間で筒壁部３１の上端よりも低い位置で錠剤Ｔを軸線Ｊ方向に保持する保持部６０が設けられているため、孔部３８を通過した錠剤Ｔが複数個で飛び出すことなく一つずつ中栓３０に保持することができる。そのため、本実施形態の容器１においては、錠剤Ｔを一つずつ容易に取り出すことが可能になる。
【００４１】
また、本実施形態の容器１においては、底壁部３７の下面側に導入面７１（導入部７０）が設けられているため、容器本体１０の収容空間２２に収容された錠剤Ｔが円滑に孔部３８を通過することが可能になる。特に、収容空間２２に収容された錠剤Ｔの数が少なくなった場合には、錠剤Ｔを孔部３８に導くことが困難になりやすいが、導入面７１によって容易に錠剤Ｔを孔部３８に導くことができる。さらに、本実施形態の容器１においては、導入面７１が孔部３８よりも径方向の内周面３１ａ側に加えて、孔部３８の幅方向両側に設けられているため、軸線Ｊ周り方向で孔部３８の位置がずれた場合でも円滑に錠剤Ｔを孔部３８に導入することが可能となる。
【００４２】
さらに、本実施形態の容器１においては、中栓３０が弾性体で形成されているため、容器本体１０を傾けて錠剤Ｔを容器本体１０から排出させる際に、錠剤Ｔが保持部６０に衝突した際の衝撃を緩和することができる。
【００４３】
［第２実施形態］
次に、中栓３０の第２実施形態について、図１０及び図１１を参照して説明する。
図１０は、第２実施形態に係る中栓３０の断面図である。
この図において、図１乃至図９に示す第１実施形態の構成要素と同一の要素については同一符号を付し、その説明を省略する。
第２実施形態と上記の第１実施形態とが異なる点は、保持領域の構成である。
【００４４】
図１０に示すように、本実施形態の中栓３０における保持領域３９Ａは、径方向で内周面３１ａに向かうに従って漸次下方に向かって傾斜する傾斜面（窪み）３５を有している。他の構成は、上記第１実施形態の中栓３０及び容器１と同様である。
【００４５】
上記構成の中栓３０では、容器本体１０から排出され保持領域３９Ａに保持された錠剤Ｔは、傾斜面３５に沿って傾く。具体的には、錠剤Ｔは径方向について内周面３１ａ側が下側となり孔部３８側が上側となって傾く。そのため、本実施形態の中栓３０では、上記第１実施形態と同様の作用・効果が得られることに加えて、錠剤Ｔを排出するために容器本体１０を傾けた後に正立状態とした際の衝撃等で錠剤Ｔが孔部３８から容器本体１０内に落下してしまうことを抑制できる。
【００４６】
なお、保持領域３９Ａに設ける窪みとしては、上記の傾斜面３５の他に、図１１に示すように、径方向で内周面３１ａに向かうに従って漸次下方に向かって湾曲する湾曲面３６であってもよい。この構成であっても、保持領域３９Ａが上述した傾斜面３５を有する場合と同様の作用・効果が得られる。
【００４７】
［第３実施形態］
次に、中栓３０の第３実施形態について、図１２及び図１３を参照して説明する。
図１２は、第３実施形態に係る中栓３０の外観斜視図である。図１３は、中栓３０を下側から視た下面図である。
これらの図において、図１乃至図９に示す第１実施形態の構成要素と同一の要素については同一符号を付し、その説明を省略する。
【００４８】
図１２に示すように、本実施形態の中栓３０は、孔部３８を挟んだ幅方向の両側に突出壁６１がそれぞれ設けられている。突出壁６１は、底壁部３７の上面３７ａから上方に突出して設けられている。
他の構成は、上記第１実施形態と同様である。
【００４９】
上記構成の中栓３０においては、孔部３８から排出された錠剤Ｔは、保持部６０の案内面６０ａによって保持領域（図１２及び図１３では図示せず）に向けて案内されるが、孔部３８の幅方向両側に突出壁６１が配置されているため、孔部３８から排出された際の勢いで保持部６０の幅方向の一方側から外部に飛び出すことを抑制することができる。
【００５０】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００５１】
例えば、上記実施形態では、中栓３０が筒壁部３１において口部２０の内周面に嵌合する構成を例示したが、この構成に限定されない。例えば、中栓３０が容器本体１０の雄ネジ部２３に螺合する雌ネジ部と、蓋部材４０の雌ネジ部に螺合する雄ネジ部とを有する構成や、中栓３０が雌ネジ部を有し、容器本体１０が中栓３０の雌ネジ部に螺合する第１雄ネジ部と、蓋部材４０の雌ネジ部に螺合する第２雄ネジ部とを有する構成であってもよい。
【００５２】
また、上記実施形態で示した孔部３８の平面視形状は、略矩形に限定されず、内容物の形状・大きさに応じて、楕円形、台形等の他の形状を適宜選択可能である。
【符号の説明】
【００５３】
１…容器、  １０…容器本体、  ２０…口部、  ３０…中栓（栓部材）、  ３１…筒壁部、  ３２…フランジ部、  ３５…傾斜面（窪み）、  ３７…底壁部、  ３８…孔部、  ３９…保持領域、  ４０…蓋部材、  ６０…保持部、  ６０ａ…案内面、  ７０…導入部、  Ｔ…錠剤（内容物）
【図１】
2018203322.tif 000003
【図２】
2018203322.tif 000004
【図３】
2018203322.tif 000005
【図４】
2018203322.tif 000006
【図５】
2018203322.tif 000007
【図６】
2018203322.tif 000008
【図７】
2018203322.tif 000009
【図８】
2018203322.tif 000010
【図９】
2018203322.tif 000011
【図１０】
2018203322.tif 000012
【図１１】
2018203322.tif 000013
【図１２】
2018203322.tif 000014
【図１３】
2018203322.tif 000015